(57)【要約】【課題】  竪框に対するパネルのずれによる変形を防止できるドアを提供する。【解決手段】  本発明のドア１は、パネル９と、竪框１１と、グレイジングガスケット１３を備えており、竪框１１はパネル保持溝１７を有し、グレイジングガスケット１３でパネル９をパネル保持溝１７に保持しており、グレイジングガスケット９は底壁１９と室内側立上がり壁２１と室外側立上がり壁２３と有し、室内側立上がり壁２１と室外側立上がり壁２３の少なくとも何れか一方には長手方向に複数の欠除部２７を有し、欠除部２７においてパネルの側面９ａ、９ｂを竪框１１に接着固定してある。【選択図】      図１
2005314880.tif 000002
【特許請求の範囲】
【請求項１】
パネルと、竪框と、グレイジングガスケットを備え、竪框はパネル保持溝を有しグレイジングガスケットでパネルをパネル保持溝に保持しており、グレイジングガスケットは底壁と室内側立上がり壁と室外側立上がり壁と有し、室内側立上がり壁と室外側立上がり壁の少なくとも何れか一方には長手方向に複数の欠除部を有し、欠除部においてパネルの側面を竪框に接着固定したことを特徴とするドア。
【発明の詳細な説明】
【技術分野】
【０００１】
本発明は、パネルを備えるドアに関するものである。
【背景技術】
【０００２】
特許文献１には、パネル端面とグレイジングガスケットの底壁とを接着固定して、框のパネル保持溝にグレイジングガスケットと共にパネルの端部を嵌め込むことが開示されている。
特許文献２には、パネルの端部に取り付けたグレイジングガスケットを框に接着固定することが開示されている。
【０００３】
【特許文献１】特開２００１−３２３７４０号公報
【特許文献２】特開２００４−３１４４号公報
【発明の開示】
【発明が解決しようとする課題】
【０００４】
一方、ドアの竪框とパネルとの間では、パネルの重みやドア開閉時の外力により竪框とパネルとの間がずれて、ドアが変形し、戸先側に下がりが生じやすい。
これに対して、上述した特許文献１の技術をドアの竪框に用いた場合には、グレイジングガスケットは框に嵌め込まれているだけであるから、竪框とグレイジングガスケットとの間でずれが生じるおそれがある。また、特許文献１ではパネル端面をグレイジングガスケットに接着しているだけであるから、グレイジングガスケットとパネルとの間でもずれが生じるおそれがある。
特許文献２の技術を竪框に用いた場合では、グレイジングガスケットとパネルとは嵌め込みのみにより取り付けているので、框に対してパネルがずれるおそれがある。
そこで、本発明は、竪框に対するパネルのずれによる変形を防止できるドアの提供を目的とする。
【課題を解決するための手段】
【０００５】
請求項１に記載の発明は、パネルと、竪框と、グレイジングガスケットを備え、竪框はパネル保持溝を有しグレイジングガスケットでパネルをパネル保持溝に保持しており、グレイジングガスケットは底壁と室内側立上がり壁と室外側立上がり壁と有し、室内側立上がり壁と室外側立上がり壁の少なくとも何れか一方には長手方向に複数の欠除部を有し、欠除部においてパネルの側面を竪框に接着固定したことを特徴とする。
【発明の効果】
【０００６】
請求項１に記載の発明では、パネルはその室内側面と室外側面との少なくとも何れか一方の側面を竪框に接着固定してあるので、パネルと竪框とを強固に接合でき、竪框に対するパネルのずれによる変形、例えば、吊元側に対して戸先側に下がりが生じるドアの変形を防止できる。
【発明を実施するための最良の形態】
【０００７】
以下に、添付図面を参照して本発明の実施の形態を詳細に説明する。図１（ａ）は図３に示すＡ部の分解斜視図であり、（ｂ）は（ａ）により組み立てた部分をＢ−Ｂ位置で切断した横断面であり、図２は本発明の実施の形態にかかる冷蔵ショーケースのドア部分の縦断面図であり、図３は本発明の実施の形態にかかる冷蔵ショーケースのドア部分の横断面図である。
本実施の形態にかかるドア１は、冷蔵ショーケースのドアであり、一端側（吊元側）の上軸５と下軸７とで枠３に軸支されて、垂直軸周に開閉自在に設けられている。
ドア１は、パネル９と、竪框１１と、パネル９と竪框１１との間に設けたグレイジングガスケット１３と、接着剤１５を備えている。
パネル９は、複層ガラスである。
竪框１１は吊元側竪框及び戸先側竪框であり、パネル９と各竪框１１との取り付け構造は同じであるから、以下には吊元側竪框とパネルとの取り付け構造について説明する。
竪框１１はパネル保持溝１７を有しており、パネル保持溝１７内にパネル９の端部１０に装着したグレイジングガスケット１３をパネルの端部１０と共に嵌め込んでいる。
グレイジングガスケット１３は、底壁１９と、室内側立上がり壁２１と、室外側立上がり壁２３とを有し、横断面が略コ字状の溝２５を形成している。グレイジングガスケット１３の溝２５にはパネル９の端部１０が嵌め込まれている。
グレイジングガスケット１３には、長手方向に間隔を開けて設けた複数の欠除部２７を有している。欠除部２７は、底壁１９と室内側立上がり壁２１と室外側立上がり壁２３に跨って形成してあり、パネル９側と竪框１１側とを連通している。
接着剤１５は、グレイジングガスケット１３に形成した欠除部２７を通じて、竪框１１の室内側壁２９及びパネルの室内側面９ａと、室外側壁３１及びパネルの室外側面９ｂとを接着している。接着材１５はゲル状の接着材であり、パネル９の端面側にも回り込んでいる。
尚、竪框１１の室内側壁２９には押縁３３が嵌着されている。また、戸先側框にはハンドル３５が設けてある。
【０００８】
次に、本実施の形態にかかる竪框１１とパネル９との組み付け、作用及び効果を説明する。
パネル９への竪框１１の組み付けは、竪框１１のパネル保持溝１７において室内側壁２９と室外側壁３１とに接着剤１５を塗布し、次に、パネル９の端部１０にグレイジングガスケット１３を嵌めて、竪框１１のパネル保持溝１７に挿入し、竪框１１の室内側壁２９に押縁３３を嵌める。
本実施の形態によれば、パネル９の室内側面９ａと室外側面９ｂとを竪框１１に接着固定してあるので、パネル９と竪框１１とを強固に接合でき、竪框１１とパネル９とのずれによる変形により生じる戸先側（ハンドル３５側）の下がりを防止できる。
欠除部２７は、底壁１９と室内側立上がり壁２１と室外側立上がり壁２３に跨って形成しているので、室内側立上がり壁２１と室外側立上がり壁２３のみに形成する場合に比較して加工し易い。
【０００９】
本発明は、上述した実施の形態に限らず、本発明の要旨を逸脱しない範囲で種々変形可能である。
ドア１は、冷蔵ショーケースのドアに限らず、家屋の出入り口に設けるドアであってもよく、用途は限定されない。
パネル９は、一枚のパネルで構成してもよいし、２枚に限らず３枚の複層パネルであってもよい。
パネル９は、樹脂パネルでできているものであってもよい。
欠除部２７は、底壁１９には形成しないで室内側立上がり壁２１と室外側立上がり壁２３のみに形成するものであってもよい。
更に、欠除部２７を室内側立上がり壁２１にのみ形成してパネルの室内側面のみを竪框に接着固定してもよいし、欠除部２７を室外側立上がり壁２３にのみ形成してパネルの室外内側面のみを竪框に接着固定するものであってもよい。
【図面の簡単な説明】
【００１０】
【図１】図１（ａ）は図３に示すＡ部の分解斜視図であり、（ｂ）は（ａ）により組み立てた部分をＢ−Ｂ位置で切断した横断面である。
【図２】本発明の実施の形態にかかる冷蔵ショーケースのドア部分の縦断面図である。
【図３】本発明の実施の形態にかかる冷蔵ショーケースのドア部分の横断面図である。
【符号の説明】
【００１１】
１      ドア
３      枠
９      パネル
９ａ    室内側面
９ｂ    室外側面
１１    竪框
１３    グレイジングガスケット
１５    接着剤
１７    パネル保持溝
１９    底壁
２１    室内側立上がり壁
２３    室外側立上がり壁
２５    溝
２７    欠除部
【図１】
2005314880.tif 000003
【図２】
2005314880.tif 000004
【図３】
2005314880.tif 000005